(57)【特許請求の範囲】
【請求項１】
情報表示装置にデータに基づいて情報表示を行う携帯端末において、
前記データがダウンロードデータであるかプリインストールデータであるかを記憶する記憶装置と、
前記記憶装置を参照することにより、ダウンロードデータをプリインストールデータよりも優先的に前記情報表示装置に表示させる情報管理装置とを備えたことを特徴とする携帯端末。
【請求項２】
前記情報管理装置は、
全ダウンロードデータの中からＭ個のデータを選択し、全ダウンロードデータ及び全プリインストールデータの中からＮ−Ｍ個（Ｎは全データの数、０＜Ｍ＜Ｎ）のデータを選択し、表示順序を決定することを特徴とする請求項１記載の携帯端末。
【請求項３】
前記情報管理装置は、全ダウンロードデータの中からランダムにＭ個のデータを選択し、全ダウンロードデータ及び全プリインストールデータの中からランダムにＮ−Ｍ個のデータを選択することを特徴とする請求項２記載の携帯端末。
【請求項４】
前記情報管理装置は、全ダウンロードデータの中から保存日時順にＭ個のデータを選択し、全ダウンロードデータ及び全プリインストールデータの中から保存日時順にＮ−Ｍ個のデータを選択することを特徴とする請求項２記載の携帯端末。
【請求項５】
前記情報管理装置は、全ダウンロードデータの中から表示回数順にＭ個のデータを選択し、全ダウンロードデータ及び全プリインストールデータの中から表示回数順にＮ−Ｍ個のデータを選択することを特徴とする請求項２記載の携帯端末。
【請求項６】
前記情報管理装置は、全ダウンロードデータの中から表示回数順にＭ個のデータを選択し、全ダウンロードデータ及び全プリインストールデータの中から表示回数順にＮ−Ｍ個のデータを選択することを特徴とする請求項２記載の携帯端末。
【請求項７】
前記情報管理装置は、取得元、保存日時、及び表示回数順を組み合わせてデータの表示の優先順位を決定することを特徴とする請求項３から６のいずれか１項記載の携帯端末。
【請求項８】
前記データは、画像またはソフトプログラムのデータであることを特徴とする請求項１から７のいずれか１項記載の携帯端末。
【請求項９】
情報表示装置にデータに基づいて情報表示を行う携帯端末と、各携帯端末間のデータを中継する中継器とを有する携帯端末システムにおいて、
前記携帯端末は、前記データがダウンロードデータであるかプリインストールデータであるかを記憶する記憶装置と、前記記憶装置を参照することにより、ダウンロードデータをプリインストールデータよりも優先的に前記情報表示装置に表示させる情報管理装置とを備えたことを特徴とする携帯端末システム。
【請求項１０】
前記情報管理装置は、
全ダウンロードデータの中からＭ個のデータを選択し、全ダウンロードデータ及び全プリインストールデータの中からＮ−Ｍ個（Ｎは全データの数、０＜Ｍ＜Ｎ）のデータを選択し、表示順序を決定することを特徴とする請求項９記載の携帯端末システム。
【請求項１１】
情報表示装置にデータ表示が可能な携帯端末の制御方法において、
前記データがダウンロードデータであるかプリインストールデータであるかを記憶し、
ダウンロードデータをプリインストールデータよりも優先的に前記情報表示装置に表示させることを特徴とする携帯端末の制御方法。
【請求項１２】
全ダウンロードデータの中からＭ個のデータを選択し、全ダウンロードデータ及び全プリインストールデータの中からＮ−Ｍ個（Ｎは全データの数、０＜Ｍ＜Ｎ）のデータを選択し、表示順序を決定することを特徴とする請求項１１記載の携帯端末の制御方法。
【請求項１３】
全ダウンロードデータの中からランダムにＭ個のデータを選択し、全ダウンロードデータ及び全プリインストールデータの中からランダムにＮ−Ｍ個のデータを選択することを特徴とする請求項１１記載の携帯端末の制御方法。
【請求項１４】
全ダウンロードデータの中から保存日時順にＭ個のデータを選択し、全ダウンロードデータ及び全プリインストールデータの中から保存日時順にＮ−Ｍ個のデータを選択することを特徴とする請求項１１記載の携帯端末の制御方法。
【請求項１５】
全ダウンロードデータの中から表示回数順にＭ個のデータを選択し、全ダウンロードデータ及び全プリインストールデータの中から表示回数順にＮ−Ｍ個のデータを選択することを特徴とする請求項１１記載の携帯端末の制御方法。
【請求項１６】
全ダウンロードデータの中から表示回数順にＭ個のデータを選択し、全ダウンロードデータ及び全プリインストールデータの中から表示回数順にＮ−Ｍ個のデータを選択することを特徴とする請求項１１記載の携帯端末の制御方法。
【請求項１７】
取得元、保存日時、及び表示回数順を組み合わせてデータの表示の優先順位を決定することを特徴とする請求項１１から１６のいずれか１項記載の携帯端末の制御方法。
【請求項１８】
情報表示装置にデータ表示が可能な携帯端末のコンピュータが読取可能な制御プログラムにおいて、
前記携帯端末のコンピュータに、前記データがダウンロードデータであるかプリインストールデータであるかを記憶させる処理、ダウンロードデータをプリインストールデータよりも優先的に前記情報表示装置に表示させる処理、を実行させることを特徴とする携帯端末の制御プログラム。
【請求項１９】
前記コンピュータに、
全ダウンロードデータの中からＭ個のデータを選択する処理、
全ダウンロードデータ及び全プリインストールデータの中からＮ−Ｍ個（Ｎは全データの数、０＜Ｍ＜Ｎ）のデータを選択する処理、
表示順序を決定する処理、
を実行させることを特徴とする請求項１８記載の携帯端末の制御プログラム。
【請求項２０】
請求項１８または１９記載の制御プログラムを記録したことを特徴とする記録媒体。
【発明の詳細な説明】
【技術分野】
【０００１】
本発明は、携帯端末、携帯端末システム、携帯端末の制御方法、プログラム、及び記録媒体に関する。
【背景技術】
【０００２】
現在、文字情報から感情情報を読み取り、該当画像などを選別する感情認識エンジンを搭載している携帯端末では、デコレーションメール画像などをダウンロードすることができる。ここで言うデコレーションメールとは、メール作成時に、本文内に挿入画像データを用いたメールのことであり、例えば、「うれしい」という文字から、「ウレシイ」という文字の周りに星マークの入った画像が挿入され、メールをデコレーションすることである。【０００３】
デコレーションメールの一例が特許文献１に記載されている。
特許文献１の画像提供管理装置は、相互にメールの送受信が可能な複数の端末装置とネットワークを介して通信可能に構成されており、端末装置にメール本文中に使用する画像データを提供する画像提供管理装置において、メール本文中に使用する画像データを複数保持する画像保持手段と、端末装置からの要求に応じて、画像保持手段が保持する複数の画像データを、端末装置に送信する画像送信手段と、複数の端末装置での画像データ毎の利用履歴を記録するための利用履歴データベース手段と、端末装置から画像データ毎の利用履歴を受信して、利用履歴データベース手段に記録する利用履歴管理手段とで構成されており、以下のように動作する。【０００４】
この画像提供管理装置は、利用者端末装置２００では、メール画像提供管理サーバ１００からメール本文中に絵文字（定型の絵文字、キャラロゴ）を入力するためのキャラロゴパレット（絵文字を含む）をダウンロードし、このキャラロゴパレットを使用してキャラロゴ入りのメールを作成する一方、メール画像提供管理サーバ１００は、各利用者用端末装置２００から各キャラロゴの利用履歴を取得して、データベースに登録する。【０００５】
また、仮名で入力された文字列を漢字又は仮名漢字により混じり文字列に変換する一例が特許文献２に記載されている。
特許文献２のワードプロセッサは、仮名文字列に対応した漢字又は漢字混じりの文字列である変換候補を予め記憶した複数の仮名漢字変換用辞書と、複数の仮名漢字変換用辞書のそれぞれに対応して設けられ、学習された仮名文字列の変換候補を、使用された順位を示す使用順位と共に登録する複数の学習バッファと、学習バッファの学習に際して全ての学習バッファにわたって一連の使用順位をつける制御装置とを備え、複数の仮名漢字変換用辞書にまたがって、使用頻度の高い変換候補を優先して表示するよう変換候補の使用順位が変換可能なことを特徴とするものであり、以下のように動作する。【０００６】
このワードプロセッサは、すべての仮名漢字変換用辞書にまたがって使用頻度の高い変換候補を優先して表示させるように使用順位を変換させるので、最新使用変換候補を優先表示することができる。【０００７】
また、保存日時を元に決定された表示順のとおりに挿入画像データを表示することが特許文献３に記載されている。
特許文献３のカラオケ装置は、カラオケ演奏音データ、歌詞データ、および、コーラス音データ含む楽曲データを複数記憶する楽曲データ記憶手段と、楽曲データを入力し、楽曲データに基づいてカラオケ演奏音の合成、歌詞の表示およびコーラス音の再生を含むプレイ動作を実行するプレイ手段と、複数の楽曲データから１つの楽曲データを選択し、楽曲データをプレイ手段に入力する楽曲データ選択手段と、を備えたカラオケ装置において、歌詞データと同一構成の説明文データ、および、コーラス音データと同一構成のアナウンスデータを含む情報データを記憶する情報データ記憶手段と、情報データを選択し、情報データをプレイ手段に入力する情報データ選択手段と、を設けたものであり、以下のように動作する。【０００８】
このカラオケ装置は、カラオケ演奏音データ、歌詞データ、コーラス音データを含む楽曲データを複数記憶しており、何れかの楽曲データが選択されたとき、プレイ手段がその楽曲データのカラオケ演奏音データに基づいてカラオケの演奏音を合成してスピーカから出力し、歌詞データに基づいてモニタに歌詞を表示し、コーラス音データに基づいてバックコーラスの声などの人声を再生してスピーカから出力する。【０００９】
さらに、このカラオケ装置には、前記歌詞データと同一構成の解説文データおよび前記コーラス音データと同一構成のアナウンスデータを含む情報データが記憶されている。歌詞データの構成は、例えば、表示内容を表す文字データ、表示タイミングを表すタイミングデータ、表示位置を表す座標データ、表示時間を表す表示時間データなどであり、解説文もこれと同一の構成になっている。コーラス音データの構成は、例えば、コーラス音の波形データ、該波形データの再生を開始するタイミングを指示するタイミングデータなどであり、アナウンスデータもこれを同一の構成になっている。したがって、この情報データを前記プレイ手段に入力することにより、解説文のモニタへの表示およびアナウンスのスピーカからの出力を行うことができる。
【特許文献１】特開２００７−１５７０８２号公報
【特許文献２】特開昭６２−２５１９６２号公報
【特許文献３】特開平０７−１９９９７２号公報
【発明の開示】
【発明が解決しようとする課題】
【００１０】
しかしながら、感情認識エンジンを搭載している携帯端末や特許文献１に記載の技術では、ユーザがデコレーションメールの作成を行うときに、ダウンロード画像と内蔵のデコレーションメール画像（プリインストール画像）を文字情報から表示することが可能であるが、ランダムな順序で表示され、せっかくダウンロードした画像を利用したいユーザにとっては選択に手間取る結果となり不便である。【００１１】
また、特許文献２に記載の技術は、使用回数を元に決定された表示順のとおりに挿入画像データを表示するため、ダウンロードした画像が後回しに表示されるおそれがあり、せっかくダウンロードした画像を利用したいユーザにとっては選択に手間取る結果となり不便である。【００１２】
さらに、特許文献３に記載の技術は、保存日時を元に決定された表示順のとおりに挿入画像データを表示するため、ダウンロードした画像が後回しに表示されるおそれがあり、せっかくダウンロードした画像を利用したいユーザにとっては選択に手間取る結果となり不便である。【００１３】
そこで、本発明の目的は、上記課題を解決すべく、利便性の高い携帯端末、携帯端末システム、携帯端末の制御方法、プログラム、及び記録媒体を提供することにある。
【課題を解決するための手段】
【００１４】
本発明の第１の装置は、情報表示装置にデータに基づいて情報表示を行う携帯端末において、ダウンロードデータをプリインストールデータよりも優先的に情報表示装置に表示させる情報管理装置を備えたことを特徴とする。【００１５】
本発明の第１のシステムは、情報表示装置にデータに基づいて情報表示を行う携帯端末と、各携帯端末間のデータを中継する中継器とを有する携帯端末システムにおいて、携帯端末は、ダウンロードデータをプリインストールデータよりも優先的に情報表示装置に表示させる情報管理装置を備えたことを特徴とする。【００１６】
本発明の第１の方法は、  情報表示装置にデータ表示が可能な携帯端末の制御方法において、ダウンロードデータをプリインストールデータよりも優先的に情報表示装置に表示させることを特徴とする。【００１７】
本発明の第１のプログラムは、情報表示装置にデータ表示が可能な携帯端末のコンピュータが読取可能な制御プログラムにおいて、携帯端末のコンピュータに、ダウンロードデータをプリインストールデータよりも優先的に情報表示装置に表示させる処理を実行させることを特徴とする。【００１８】
本発明の第１の記録媒体は、第１のプログラムを記録したことを特徴とする。
【発明の効果】
【００１９】
本発明によれば、ダウンロードデータをプリインストールデータよりも優先的に情報表示装置に表示させることにより、ユーザが画像データなどを選択する場合に、ダウンロードデータを優先的に選択できる。この結果、利便性の高い携帯端末、携帯端末システム、携帯端末の制御方法、プログラム、及び記録媒体の提供を実現することができる。
【発明を実施するための最良の形態】
【００２０】
［特徴］
本携帯端末は、ダウンロード画像と内蔵のプリインストール画像とに比重をもたせることでダウンロードデータを表示しやすくし、ダウンロード後のユーザによる選択手順を減らすことを特徴としている。
すなわち、本発明によるダウンロードデータの携帯端末における優先選別表示システムは、携帯端末で、ダウンロードで取得した画像などを内蔵されているプリインストール画像よりも、ダウンロードした画像などのデータを優先表示させる。そして、プリインストール画像とダウンロード画像の優先度のつけ方はダウンロードデータとプリインストールデータに比重を持たせることによってダウンロードデータを優先的に表示させるものである。【００２１】
本発明の携帯端末の情報管理装置は、全ダウンロードデータの中からＭ個のデータを選択し、全ダウンロードデータ及び全プリインストールデータの中からＮ−Ｍ個（Ｎは全データの数、０＜Ｍ＜Ｎ）のデータを選択し、表示順序を決定するものである。【００２２】
ここで、「比重を持たせる」とは、ダウンロード画像が有するダウンロード画像であることを示す情報（例えば、ヘッダ）を確認してプリインストール画像より優先的に処理することを意味する。以下、携帯端末及び携帯端末システムの構成及び動作について説明する。【００２３】
＜実施の形態１＞
図１（ａ）は、本発明に係る携帯端末の一実施の形態を示すブロック図であり、図１（ｂ）は他の実施の形態を示すブロック図である。
本実施の形態では携帯端末が携帯電話の場合で説明するが限定されるものではなく、PDAやノートパソコンであってもよい。
図１（ａ）に示す携帯電話10ａは、画像や文字を表示する情報表示装置17と、画像データの情報を格納し、優先度を決定すると共に情報表示装置17を管理する情報管理装置20aとを有する。
情報表示装置17としては、例えばLCD（Liquid Crystal Display：液晶表示装置）が挙げられるが、有機EL（Elector Luminescence）素子を用いてもよい。
情報管理装置20aは、例えば、コンピュータとしてのCPUが挙げられる。【００２４】
＜実施の形態２＞
図１（ｂ）に示す携帯電話10ｂは、図１（ａ）に示した携帯電話10ａに記憶装置24を設けたものである。
すなわち、図１（ｂ）に示す携帯電話10bは、画像や文字を表示する情報表示装置17と、画像データの情報を格納し、優先度を決定すると共に情報表示装置17を管理する情報管理装置20aと、記憶装置24とを有する。
携帯電話10ｂについては図２にてさらに詳細に説明する。【００２５】
＜実施の形態３＞
図２に図１（ｂ）に示した携帯電話を用いた携帯端末システムのブロック図の一例を示す。
図２に示す携帯端末としての携帯電話10ｂ(10-1,10-2,…,10-n)は、主にアンテナ11と、電波を受発信する無線高周波部12と、音声信号を処理し、通信手順の制御を行うベースバンド部19とで構成されている。
無線高周波部12は受信アナログ部13と、送受信切替14と、送信アナログ部15とで構成されている。
受信アナログ部13は、主に局部発振回路、LNA（Low Noise Amplifier：低雑音増幅器）、及びミキサ、IF（Intermediate Frequency：中間周波数）アンプで構成されている。
送信アナログ部15は、主にIF変調、ミキサ、パワーアンプで構成されている。【００２６】
ベースバンド部19は、情報管理装置20aを兼用したCPU（Central Processing Unit：中央演算処理装置）20、DSP（Digital Signal Processor）21、モデム22、AD／DAコンバータ23で構成されている。ベースバンド部19には画像処理部18、記憶装置24、スピーカ27、マイクロフォン28、及びキー29が接続されている。
記憶装置24は、例えばフラッシュメモリ25及びSRAM26からなる。画像処理部18にはカメラ16及び情報表示装置（例えば、LCD）17が接続されている。記憶装置24は、画像ナンバー、タイトル、ファイル名、保存先、保存日時、使用回数、取得元、ファイル種別に格納され、図３に示すテーブルを有する。【００２７】
40は基地局側中継器であり、ネットワーク31を介して各種サーバ32-1,32-2,…,32-nに接続されている。尚、通常の中継器は省略されている。
これら携帯電話10-1,10-2,…,10-n、基地局側中継器30、ネットワーク31、及びサーバ32-1,32-2,…,32-nで携帯端末システムが構成されている。【００２８】
携帯電話10-1に内蔵された情報表示装置にて表示されている画面については、図４に示すように、画像データを表示するメインエリア17a、機能メニューや選択キーボタンなどを表示するソフトキーエリア17b,17cにて構成されている。【００２９】
以下、本実施の形態の動作について説明する。
携帯電話装置10によるユーザがダウンロード後に使用したいダウンロード画像に優先的に表示する動作について、図５を用いて説明する。
図５は本発明に係る携帯端末の動作を説明するためのシーケンス図の一例である。
ユーザがデコレーション画像をダウンロードする（Ａ１）。
ダウンロード完了後、情報管理装置20aの記憶装置24に画像ナンバー、タイトル、ファイル名、保存先、保存日時、使用回数、取得元、及びファイル種別を登録する（Ａ２）。
登録後、ユーザが、メール作成を行う（Ａ３）。【００３０】
デコレーション画像を挿入するデコレーションメール作成を行う（Ａ４）。
情報管理装置20aの記憶装置24内からデコレーション画像を識別し、該当データ内を検索し、その中から取得元がダウンロードである該当画像データをランダムにＭ個選択する（Ａ５）。
選択後、表示可能数Ｎ個から先ほど抽出したダウンロード画像を引いたＮ−Ｍ個をダウンロード画像とプリインストール画像とからランダム選択する（Ａ６）。【００３１】
先にＭ個選択された画像の中からランダムに表示順序を決め、その後、残りＮ―Ｍ個の画像データの表示順序を決める（Ａ７）。
表示データを表示順序と共に送り、情報表示装置17に送る（Ａ８）。
画像をＭ個のダウンロード画像から表示させる（Ａ９）。
例えば、Ｎ＝５個、Ｍ＝３個の場合は、記憶装置24のテーブルのファイル種別から画像を抽出し、取得元がダウンロードである画像をランダム選択し、画像１、３、６を選択する。そして、残り２個を画像２、４、５、７、８からランダムに選別し、画像２、画像４を選択する。表示順序としては、画像１、３、６から表示順序を決め、その後、残り画像の画像２、画像４の表示順序を決定する。決定した順序（画像１→画像３→画像６→画像２→画像４）を情報表示装置17に送信し、画像を表示順序どおりに表示させる。【００３２】
以上において、本発明によるダウンロードデータの携帯端末における優先選別表示システムは、情報表示装置にて、ユーザが使用していた内蔵のデフォルト画像ではなく、ダウンロード後に使用したいダウンロード画像を優先的に表示し、ユーザの選択手順を減らすことができる。【００３３】
（プログラム及び記憶媒体）
＜実施の形態４＞
以上で説明した本発明の携帯電話は、コンピュータで制御処理を実行させるプログラムによって実現されている。
例えば、情報表示装置にデータ表示が可能な携帯端末のコンピュータが読取可能な制御プログラムにおいて、携帯端末のCPUに、ダウンロードデータをプリインストールデータよりも優先的に前記情報表示装置に表示させる処理を実行させるプログラムが挙げられる。【００３４】
＜実施の形態５＞
また、携帯端末のCPUに、
（ａ）全ダウンロードデータの中からＭ個のデータを選択する処理。
（ｂ）全ダウンロードデータ及び全プリインストールデータの中からＮ−Ｍ個（Ｎは全データの数、０＜Ｍ＜Ｎ）のデータを選択する処理。
（ｃ）表示順序を決定する処理。
を実行させてもよい。【００３５】
これにより、プログラムが実行可能な環境さえあれば、どこにおいても本発明の携帯端末を実現することができる。
＜実施の形態６＞
このようなプログラムは、コンピュータに読み取り可能な記憶媒体に記憶されていてもよい。
ここで、記憶媒体としては、例えば、CD−ROM（Compact Disc Read Only Memory）、フレキシブルディスク（FD）、CD−R（CD Recordable）、DVD（Digital Versatile Disk）などのコンピュータで読み取り可能な記憶媒体、フラッシュメモリ、RAM（Random Access Memory）、ROM（Read Only Memory）、FeRAM（強誘電体メモリ）等の半導体メモリやHDD（Hard Disc Drive）が挙げられる。【００３６】
＜実施の形態７＞
本発明の他の実施の形態として、該当画像データを抽出する情報管理装置20aが記憶装置24内から該当データ内を検索し、その中から取得元がダウンロードである該当画像データをランダムにＭ個選別するのではなく、保存日時順、もしくは、使用回数によるユーザ頻度順を元にＭ個選別可能である。また、取得元と保存日時、ユーザ頻度順を組み合わせ、優先順位を決定することができる。
これにより、ユーザが画像データなどを選択する場合に、ダウンロードデータを優先的に選択できる。【００３７】
＜実施の形態８＞
同様に、Ｎ−Ｍ個のデータもダウンロード画像とプリインストール画像とを保存日時、ユーザ頻度順を組み合わせ、優先順位を決定してもよい。
これにより、ユーザが画像データなどを選択する場合に、ダウンロードデータを優先的に選択できる。【００３８】
＜実施の形態９＞
また、画像だけでなく、他の映像やソフトプログラムなどのダウンロードデータも同様に取得元と保存日時、ユーザ頻度順を組み合わせ、優先順位を決定してもよい。
これにより、ユーザが画像データなどを選択する場合に、ダウンロードデータを優先的に選択できる。【００３９】
＜実施の形態１０＞
本発明の携帯端末の情報管理装置は、全ダウンロードデータの中からランダムにＭ個のデータを選択し、全ダウンロードデータ及び全プリインストールデータの中からランダムにＮ−Ｍ個のデータを選択するように構成してもよい。
これにより、ユーザが画像データなどを選択する場合に、ダウンロードデータを優先的に選択できる。【００４０】
＜実施の形態１１＞
本発明の携帯端末の情報管理装置は、情報管理装置は、全ダウンロードデータの中から保存日時順にＭ個のデータを選択し、全ダウンロードデータ及び全プリインストールデータの中から保存日時順にＮ−Ｍ個のデータを選択してもよい。
これにより、ユーザが画像データなどを選択する場合に、ダウンロードデータを優先的に選択できる。【００４１】
＜実施の形態１２＞
本発明の携帯端末の情報管理装置は、全ダウンロードデータの中から表示回数順にＭ個のデータを選択し、全ダウンロードデータ及び全プリインストールデータの中から表示回数順にＮ−Ｍ個のデータを選択してもよい。
これにより、ユーザが画像データなどを選択する場合に、ダウンロードデータを優先的に選択できる。【００４２】
＜実施の形態１３＞
本発明の携帯端末の情報管理装置は、全ダウンロードデータの中から表示回数順にＭ個のデータを選択し、全ダウンロードデータ及び全プリインストールデータの中から表示回数順にＮ−Ｍ個のデータを選択してもよい。
これにより、ユーザが画像データなどを選択する場合に、ダウンロードデータを優先的に選択できる。【００４３】
＜実施の形態１４＞
本発明の携帯端末の情報管理装置は、情報管理装置は、取得元、保存日時、及び表示回数順を組み合わせてデータの表示の優先順位を決定してもよく、データは、画像またはソフトプログラムのデータであってもよい。
これにより、ユーザが画像データなどを選択する場合に、ダウンロードデータを優先的に選択できる。【００４４】
なお、上述した実施の形態は、本発明の好適な実施の形態の一例を示すものであり、本発明はそれに限定されることなく、その要旨を逸脱しない範囲内において、種々変形実施が可能である。
この出願は、２００７年１０月２９日に出願された日本出願特願２００７−２８０７８７を基礎とする優先権を主張し、その開示の全てをここに取り込む。
【図面の簡単な説明】
【００４５】
【図１】（ａ）は本発明に係る携帯端末の一実施の形態を示すブロック図であり、（ｂ）は他の実施の形態を示すブロック図である。
【図２】図１に示した携帯端末を用いた携帯端末システムのブロック図の一例を示す図である。
【図３】図１に示した携帯端末に用いられる記憶装置に記憶されたテーブルの一例を示す図である。
【図４】図１に示した携帯端末に内蔵された情報表示装置にて表示されている画面の一例である。
【図５】本発明に係る携帯端末の動作を説明するためのシーケンス図の一例である。
【符号の説明】
【００４６】
１０ａ、１０ｂ（１０−１〜１０−ｎ）    携帯端末（携帯電話）
１１    アンテナ
１２    無線高周波部
１３    受信アナログ部
１４    送受信切替部
１５    送信アナログ部
１６    カメラ
１７    情報表示装置
１８    画像処理部
１９    ベースバンド部
２０    CPU
２０a    情報管理装置
２１    DSP
２２    モデム
２３    AD/DAコンバータ
２４    記憶装置
２５    フラッシュメモリ
２６    SRAM
２７    スピーカ
２８    マイクロフォン
２９    キー
３０    基地局側中継器
３１    ネットワーク
３２−１〜３２−ｎ    サーバ
【図１】
0005549224.tif 000002
【図２】
0005549224.tif 000003
【図３】
0005549224.tif 000004
【図４】
0005549224.tif 000005
【図５】
0005549224.tif 000006